【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
携帯機器であって、
スマートカード用のインタフェースと、
前記スマートカードに対する最大電力供給値を規定するとともに、該最大電力供給値を前記スマートカードに知らせるように動作可能なプロセッサと、
前記規定された最大電力供給値まで前記スマートカードに電力を提供するように動作可能な電源回路と、
を有し、
前記プロセッサは、前記スマートカードによってサポートされた複数の処理の電気的関連情報を要求するように動作可能であり、かつそれに応答して、該複数の処理およびそれらの電流のクラスを特定するデータを受け取るように動作可能であり、前記プロセッサは、前記複数の処理およびそれらの電流のクラスを特定するデータに基づいて、前記スマートカードに対する前記最大電力供給値を規定するように動作可能である、携帯機器。
【請求項２】
前記プロセッサは、前記スマートカードにＥｘｔｅｎｄｅｄ  Ｇｅｔ  Ｉｎｔｅｒｆａｃｅ  Ｐｏｗｅｒ  Ｒｅｑｕｅｓｔを送ることによって前記電気的関連情報を要求するように動作可能であり、かつ前記スマートカードから前記複数の処理およびそれらの電流のクラスを特定するデータを受け取るように動作可能である、請求項１に記載の携帯機器。
【請求項３】
前記プロセッサは、前記スマートカードに前記Ｅｘｔｅｎｄｅｄ  Ｇｅｔ  Ｉｎｔｅｒｆａｃｅ  Ｐｏｗｅｒ  Ｒｅｑｕｅｓｔを送る前にＧｅｔ  Ｉｎｔｅｒｆａｃｅ  Ｐｏｗｅｒ  Ｒｅｑｕｅｓｔを送るように動作可能であり、かつ前記スマートカードから受け取った応答に基づいて、Ｇｅｔ  Ｉｎｔｅｒｆａｃｅ  Ｐｏｗｅｒ  Ｒｅｑｕｅｓｔに対してＥｘｔｅｎｄｅｄ  Ｉｎｔｅｒｆａｃｅ  Ｐｏｗｅｒ  Ｒｅｑｕｅｓｔを生成するように動作可能である、請求項２に記載の携帯機器。
【請求項４】
前記Ｇｅｔ  Ｉｎｔｅｒｆａｃｅ  Ｐｏｗｅｒ  Ｒｅｑｕｅｓｔに対する応答は、前記スマートカードによってサポートされた異なる複数の電圧クラスを特定するデータを含み、
前記Ｅｘｔｅｎｄｅｄ  Ｉｎｔｅｒｆａｃｅ  Ｐｏｗｅｒ  Ｒｅｑｕｅｓｔは、前記複数のサポートされた電圧クラスの１つによってサポートされた複数の処理の電気的関連情報を要求する、請求項３に記載の携帯機器。
【請求項５】
前記プロセッサは、前記スマートカードによってサポートされた前記異なる複数の電圧クラスを求めて複数のＥｘｔｅｎｄｅｄ  Ｇｅｔ  Ｉｎｔｅｒｆａｃｅ  Ｐｏｗｅｒ  Ｒｅｑｕｅｓｔを送るように動作可能である、請求項４に記載の携帯機器。
【請求項６】
前記プロセッサは、前記スマートカードが高密度メモリをサポートするかどうかを示すデータを、該スマートカードから受け取るように動作可能であり、かつ前記スマートカードが高密度メモリをサポートするかしないかに基づいて、該スマートカードに対する最大電力供給値を規定するように動作可能である、請求項１から５のいずれか１項に記載の携帯機器。
【請求項７】
前記プロセッサは、前記スマートカードにＧｅｔ  Ｉｎｔｅｒｆａｃｅ  Ｐｏｗｅｒ  Ｒｅｑｕｅｓｔ命令を送るように動作可能であり、前記スマートカードが高密度メモリをサポートするかどうかを示す前記データは、その応答で該スマートカードから受け取られる、請求項６に記載の携帯機器。
【請求項８】
携帯機器であって、
スマートカード用のインタフェースと、
前記スマートカードに対する最大電力供給値を規定し、該最大電力供給値を前記スマートカードに知らせるように動作可能なプロセッサと、
前記規定された最大電力供給値まで前記スマートカードに電力を提供するように動作可能な電源回路と、を有し、
前記プロセッサは、前記スマートカードが高密度メモリをサポートするかどうかを示すデータを、該スマートカードから受け取るように動作可能であり、かつ前記スマートカードが高密度メモリをサポートするかしないかに基づいて、該スマートカードに対する最大電力供給値を規定するように動作可能である、携帯機器。
【請求項９】
前記プロセッサは、前記スマートカードにＧｅｔ  Ｉｎｔｅｒｆａｃｅ  Ｐｏｗｅｒ  Ｒｅｑｕｅｓｔ命令を送るように動作可能であり、
前記スマートカードが高密度メモリをサポートするかどうかを示す前記データは、その応答で該スマートカードから受け取られる、請求項８に記載の携帯機器。
【請求項１０】
前記プロセッサは、前記スマートカードによってサポートされた複数の処理の電気的関連情報を要求するＥｘｔｅｎｄｅｄ  Ｇｅｔ  Ｉｎｔｅｒｆａｃｅ  Ｐｏｗｅｒ  Ｒｅｑｕｅｓｔを該スマートカードに送るように動作可能であり、かつそれに応答して、前記複数の処理およびそれらの電流のクラスを特定するデータを受け取るように動作可能であり、
前記プロセッサは、前記複数の処理およびそれらの電流のクラスを特定するデータに基づいて、前記スマートカードに対する前記最大電力供給値を規定するように動作可能である、請求項８または９に記載の携帯機器。
【請求項１１】
携帯機器と共に動作可能なスマートカードであって、
前記携帯機器と接続するインタフェースと、
前記携帯機器から最大電力供給値を受け取るように動作可能であり、かつ前記携帯機器によって供給される電源電圧範囲内で、複数の処理を前記スマートカード上で行わせるように動作可能なプロセッサと、を有し、
前記プロセッサは、前記スマートカードによってサポートされた複数の処理の電気的関連情報の要求を受け取るように動作可能であり、かつそれに応答して、前記複数の処理およびそれらの電流のクラスを特定するデータを前記携帯機器に送るように動作可能である、スマートカード。
【請求項１２】
前記プロセッサは  前記携帯機器から電気的関連情報の前記要求をＥｘｔｅｎｄｅｄ  Ｇｅｔ  Ｉｎｔｅｒｆａｃｅ  Ｐｏｗｅｒ  Ｒｅｑｕｅｓｔとして受け取るように動作可能であり、かつそれに対する応答で、前記複数の処理およびそれらの電流のクラスを特定する前記データを送るように動作可能である、請求項１１に記載のスマートカード。
【請求項１３】
前記プロセッサは、前記Ｅｘｔｅｎｄｅｄ  Ｇｅｔ  Ｉｎｔｅｒｆａｃｅ  Ｐｏｗｅｒ  Ｒｅｑｕｅｓｔを受け取る前にＧｅｔ  Ｉｎｔｅｒｆａｃｅ  Ｐｏｗｅｒ  Ｒｅｑｕｅｓｔを受け取るように動作可能である、請求項１２に記載のスマートカード。
【請求項１４】
前記プロセッサは、前記スマートカードによってサポートされた異なる複数の電圧クラスを特定するデータを含んだＧｅｔ  Ｉｎｔｅｒｆａｃｅ  Ｐｏｗｅｒ  Ｒｅｑｕｅｓｔに対する応答を生成するように動作可能であり、
該受け取られたＥｘｔｅｎｄｅｄ  Ｉｎｔｅｒｆａｃｅ  Ｐｏｗｅｒ  Ｒｅｑｕｅｓｔは、前記複数のサポートされた電圧クラスの１つによってサポートされた複数の処理の電気的関連情報を要求する、請求項１３に記載のスマートカード。
【請求項１５】
前記プロセッサは、前記スマートカードによってサポートされた前記異なる複数の電圧クラスを求めて複数のＥｘｔｅｎｄｅｄ  Ｇｅｔ  Ｉｎｔｅｒｆａｃｅ  Ｐｏｗｅｒ  Ｒｅｑｕｅｓｔを受け取るように動作可能である、請求項１４に記載のスマートカード。
【請求項１６】
前記プロセッサは、前記スマートカードが高密度メモリをサポートするかどうかを示すデータを前記携帯機器に送るように動作可能である、請求項１１から１５のいずれか１項に記載のスマートカード。
【請求項１７】
前記プロセッサは、前記携帯機器からＧｅｔ  Ｉｎｔｅｒｆａｃｅ  Ｐｏｗｅｒ  Ｒｅｑｕｅｓｔ命令を受け取るように動作可能であり、かつそれに応答して、前記スマートカードが高密度メモリをサポートするかどうかを示す前記データを送るように動作可能である、請求項１６に記載のスマートカード。
【請求項１８】
携帯機器と共に動作可能なスマートカードであって、
前記携帯機器と接続するインタフェースと、
前記携帯機器から最大電力供給値を受け取るように動作可能であり、かつ前記携帯機器によって供給される電源電圧範囲内で、複数の処理を前記スマートカード上で行わせるように動作可能なプロセッサと、を有し、
前記スマートカードに対する最大電力供給値を決定する際に、前記プロセッサは、前記携帯機器による使用のために前記スマートカードが高密度メモリをサポートするかどうかを示すデータを該携帯機器に送るように動作可能である、スマートカード。
【請求項１９】
前記プロセッサは、前記携帯機器からＧｅｔ  Ｉｎｔｅｒｆａｃｅ  Ｐｏｗｅｒ  Ｒｅｑｕｅｓｔ命令を受け取るように動作可能であり、
前記スマートカードが高密度メモリをサポートするかどうかを示す前記データは、前記Ｇｅｔ  Ｉｎｔｅｒｆａｃｅ  Ｐｏｗｅｒ  Ｒｅｑｕｅｓｔ命令を受け取ることに応答して送られる、請求項１８に記載のスマートカード。
【請求項２０】
前記プロセッサは、前記スマートカードによってサポートされた複数の処理の電気的関連情報を要求するＥｘｔｅｎｄｅｄ  Ｇｅｔ  Ｉｎｔｅｒｆａｃｅ  Ｐｏｗｅｒ  Ｒｅｑｕｅｓｔを前記携帯機器から受け取るように動作可能であり、かつそれに応答して、前記複数のサポートされた処理およびそれらの電流のクラスを特定するデータを送るように動作可能である、請求項１８または１９に記載のスマートカード。
【請求項２１】
携帯機器によって行われる方法であって、
スマートカードと接続すること、
前記スマートカードに対する最大電力供給値を規定し、該最大電力供給値を該スマートカードに知らせること、
前記規定された最大電力供給値まで前記スマートカードに電力を提供すること、
を含み、
該方法は、前記スマートカードによってサポートされた複数の処理の電気的関連情報を要求することと、それに応答して、該複数の処理およびそれらの電流のクラスを特定するデータを受け取ることをさらに含み、
前記規定は、前記複数の処理およびそれらの電流のクラスを特定する前記データに基づいて、前記スマートカードに対する前記最大電力供給値を規定する、方法。
【請求項２２】
携帯機器によって行われる方法であって、
スマートカードと接続すること、
前記スマートカードに対する最大電力供給値を規定し、該最大電力供給値を該スマートカードに知らせること、
前記規定された最大電力供給値まで前記スマートカードに電力を提供すること、
を含み、
該方法は、前記スマートカードが高密度メモリをサポートするかどうかを示すデータを該記スマートカードから受け取ることをさらに含み、
前記規定は、前記スマートカードが高密度メモリをサポートするかしないかに基づいて、該スマートカードに対する最大電力供給値を規定する、方法。
【請求項２３】
スマートカードによって行われる方法であって、
前記スマートカードを携帯機器に接続すること、
前記携帯機器から最大電力供給値を受け取ること、
前記携帯機器によって供給される電源電圧範囲内で、処理を前記スマートカード上で行わせること、を含み、
該方法は、前記スマートカードによってサポートされた複数の処理の電気的関連情報の要求を受け取ることと、
該要求を受け取ることに応答して、前記複数の処理およびそれらの電流のクラスを特定するデータを前記携帯機器データに送ることをさらに含む、方法。
【請求項２４】
スマートカードによって行われる方法であって、
前記スマートカードを携帯機器に接続すること、
前記携帯機器から最大電力供給値を受け取ること、
前記携帯機器によって供給される電源電圧範囲内で、処理を前記スマートカード上で行わせること、を含み、
該方法は、前記スマートカードに対する最大電力供給値を決定する際に、前記携帯機器による使用のために前記スマートカードが高密度メモリをサポートするかどうかを示すデータを該携帯機器に送ることをさらに含む、方法。
【請求項２５】
コンピュータ装置に請求項２３または２４に記載の方法を実行させるためのプログラム。
【請求項２６】
スマートカード上で実行できる複数の処理の電流情報を要求するデータを有するＥｘｔｅｎｄｅｄ  Ｇｅｔ  Ｉｎｔｅｒｆａｃｅ  Ｐｏｗｅｒ  Ｒｅｑｕｅｓｔ信号。
【請求項２７】
スマートカード上で実行できる複数の処理およびそれらの電流のクラスを示すデータを有するＥｘｔｅｎｄｅｄ  Ｇｅｔ  Ｉｎｔｅｒｆａｃｅ  Ｐｏｗｅｒ  Ｒｅｑｕｅｓｔに対する応答信号。
【請求項２８】
スマートカードが高密度メモリをサポートするかどうかを示すデータを有するＧｅｔ  Ｉｎｔｅｒｆａｃｅ  Ｐｏｗｅｒ  Ｒｅｑｕｅｓｔに対する応答信号。